(57)【要約】【課題】便鉢に泡を供給した場合であっても、泡を容易に排出することが可能な便器装置を提供すること。【解決手段】制御部５が、溜水面ＷＬ１上に泡が存在している場合に、ジェット吐出口１０を介して便鉢６に洗浄水を供給する泡用前ジェット洗浄工程と、泡用前ジェット洗浄工程が開始した後に、リム吐出口８を介して便鉢６に洗浄水を供給する泡用前リム洗浄工程と、を実行させる便器装置１である。【選択図】図４
2020002623.tif 000002
【特許請求の範囲】
【請求項１】
上部にリム吐出口を有すると共に底部にジェット吐出口を有する便鉢と、
前記リム吐出口を介して前記便鉢に洗浄水を供給するリム洗浄水供給装置と、
前記ジェット吐出口を介して前記便鉢に洗浄水を供給するジェット洗浄水供給装置と、
前記便鉢の前記底部から排水管までの便器排水路に設けられ、前記便器排水路を水封して前記便鉢の前記底部に溜まる洗浄水の溜水面の高さを定める排水トラップと、
前記リム洗浄水供給装置及び前記ジェット洗浄水供給装置の制御を行う制御部と、を備え、
前記制御部は、前記溜水面上に泡が存在している場合に、
前記ジェット吐出口を介して前記便鉢に洗浄水を供給する泡用前ジェット洗浄工程と、
前記泡用前ジェット洗浄工程が開始した後に、前記リム吐出口を介して前記便鉢に洗浄水を供給する泡用前リム洗浄工程と、を実行させる便器装置。
【請求項２】
前記制御部は、前記溜水面上に泡が存在している場合に、前記泡用前ジェット洗浄工程において前記便器排水路を破封させる程度に前記ジェット吐出口を介して前記便鉢に洗浄水を供給する請求項１に記載の便器装置。
【請求項３】
前記制御部は、前記溜水面上に泡が存在している場合に、前記泡用前ジェット洗浄工程が終了する前に、前記泡用前リム洗浄工程を実行させる請求項１又は２に記載の便器装置。
【請求項４】
前記制御部は、泡を含まない洗浄水で洗浄を行う標準モードで前記制御を行う場合、
前記リム吐出口を介して前記便鉢に洗浄水を供給する標準モード前リム洗浄工程と、
前記標準モード前リム洗浄工程が開始した後に、前記ジェット吐出口を介して前記便鉢に洗浄水を供給する標準モードジェット洗浄工程と、
前記標準モード前リム洗浄工程が終了した後で且つ前記標準モードジェット洗浄工程が開始した後に、前記リム吐出口を介して前記便鉢に洗浄水を供給する標準モード後リム洗浄工程と、を実行させ、
前記泡用前リム洗浄工程は、前記標準モード前リム洗浄工程と比較して時間が長い請求項１〜３のいずれかに記載の便器装置。
【請求項５】
前記泡用前ジェット洗浄工程が終了した後で且つ前記泡用前リム洗浄工程が開始した後に、前記ジェット吐出口を介して前記便鉢に洗浄水を供給する泡用後ジェット洗浄工程と、
前記泡用前リム洗浄工程が終了した後で且つ前記泡用後ジェット洗浄工程が開始した後に、前記リム吐出口を介して前記便鉢に洗浄水を供給する泡用後リム洗浄工程と、をさらに実行させる請求項１〜４いずれかに記載の便器装置。
【請求項６】
前記制御部は、前記溜水面上に泡が存在している場合に、前記泡用後ジェット洗浄工程を実行させることで前記溜水面の高さを降下させてから、前記泡用後リム洗浄工程を実行させることで、泡で前記溜水面を被覆させる請求項５に記載の便器装置。
【発明の詳細な説明】
【技術分野】
【０００１】
本発明は、便鉢に泡を供給する便器装置に関する。
【背景技術】
【０００２】
従来、便鉢の上部に形成されたリム吐出口と、便鉢の底部に形成されたジェット吐出口と、を備える便器装置がある（例えば、特許文献１参照）。この便器装置では、まず、リム吐出口から洗浄水を吐出する前リム洗浄工程を行い、前リム洗浄工程の終了後、ジェット吐出口から洗浄水を吐出するジェット洗浄工程を実行する。このように、前リム洗浄工程、ジェット洗浄工程の順に洗浄を行うことで、給水圧が低い場合であっても十分な洗浄が可能とされている。
【０００３】
上記の便器装置とは別に、便鉢に泡を供給する便器装置がある（例えば、特許文献２参照）。便鉢に供給される泡は、男性の立小便時における液体の飛散の抑制や、便鉢の洗浄を主目的とするものである。
【先行技術文献】
【特許文献】
【０００４】
【特許文献１】特開２００９−０３０４０５号公報
【特許文献２】特開２０１７−０４８５６７号公報
【発明の概要】
【発明が解決しようとする課題】
【０００５】
しかしながら、上述した前リム洗浄工程、ジェット洗浄工程の順に洗浄を行う便器装置に対して、便鉢に泡を供給するようにした場合、泡が十分に排出されずに便鉢内に滞留するおそれがあった。
【０００６】
本発明は、上記課題に鑑みてなされたものであり、その目的は、便鉢に泡を供給した場合であっても、泡を容易且つ確実に排出することが可能な便器装置を提供することにある。
【課題を解決するための手段】
【０００７】
（１）  上記目的を達成するため本発明は、上部にリム吐出口（例えば、後述するリム吐出口８）を有すると共に底部にジェット吐出口（例えば、後述するジェット吐出口１０）を有する便鉢（例えば、後述する便鉢６）と、前記リム吐出口を介して前記便鉢に洗浄水を供給するリム洗浄水供給装置（例えば、後述する洗浄装置３）と、前記ジェット吐出口を介して前記便鉢に洗浄水を供給するジェット洗浄水供給装置（例えば、後述する洗浄装置３）と、前記便鉢の前記底部から排水管までの便器排水路（例えば、後述の便器排水路１３）に設けられ、前記便器排水路を水封して前記便鉢の前記底部に溜まる洗浄水の溜水面（例えば、後述する溜水面ＷＬ１）の高さを定める排水トラップ（例えば、後述する排水トラップ７）と、前記リム洗浄水供給装置及び前記ジェット洗浄水供給装置の制御を行う制御部（例えば、後述する制御部５）と、を備え、前記制御部は、前記溜水面上に泡が存在している場合に、前記ジェット吐出口を介して前記便鉢に洗浄水を供給する泡用前ジェット洗浄工程と、前記泡用前ジェット洗浄工程が開始した後に、前記リム吐出口を介して前記便鉢に洗浄水を供給する泡用前リム洗浄工程と、を実行させる便器装置（例えば、後述する便器装置１）を提供する。
【０００８】
（２）  （１）の便器装置において、前記制御部は、前記溜水面上に泡が存在している場合に、前記泡用前ジェット洗浄工程において前記便器排水路を破封させる程度に前記ジェット吐出口を介して前記便鉢に洗浄水を供給することが好ましい。
【０００９】
（３）  （１）又は（２）の便器装置において、前記制御部は、前記溜水面上に泡が存在している場合に、前記泡用前ジェット洗浄工程が終了する前に、前記泡用前リム洗浄工程を実行させることが好ましい。
【００１０】
（４）  （１）〜（３）いずれかの便器装置において、前記制御部は、泡を含まない洗浄水で洗浄を行う標準モードで前記制御を行う場合、前記リム吐出口を介して前記便鉢に洗浄水を供給する標準モード前リム洗浄工程と、前記標準モード前リム洗浄工程が開始した後に、前記ジェット吐出口を介して前記便鉢に洗浄水を供給する標準モードジェット洗浄工程と、前記標準モード前リム洗浄工程が終了した後で且つ前記標準モードジェット洗浄工程が開始した後に、前記リム吐出口を介して前記便鉢に洗浄水を供給する標準モード後リム洗浄工程と、を実行させ、前記泡用前リム洗浄工程は、前記標準モード前リム洗浄工程と比較して時間が長いことが好ましい。
【００１１】
（５）  （１）〜（４）いずれかの便器装置において、前記制御部は、前記溜水面上に泡が存在している場合に、前記泡用後ジェット洗浄工程を行わせることで前記溜水面の高さを降下させてから、前記泡用後リム洗浄工程を実行させることで、泡で前記溜水面を被覆させることが好ましい。
【００１２】
（６）  （１）〜（５）いずれかの便器装置において、前記泡用前ジェット洗浄工程が終了した後で且つ前記泡用前リム洗浄工程が開始した後に、前記ジェット吐出口を介して前記便鉢に洗浄水を供給する泡用後ジェット洗浄工程と、前記泡用前リム洗浄工程が終了した後で且つ前記泡用後ジェット洗浄工程が開始した後に、前記リム吐出口を介して前記便鉢に洗浄水を供給する泡用後リム洗浄工程と、をさらに実行させることが好ましい。
【発明の効果】
【００１３】
本発明の便器装置によれば、便鉢に泡を供給した場合であっても、泡を容易且つ確実に排出することが可能な便器装置を提供できる。
【図面の簡単な説明】
【００１４】
【図１】本発明の一実施形態に係る便器装置の平面図である。
【図２】図１の矢印Ａ−Ａ方向に視た本発明の一実施形態に係る便器装置の縦断面図である。
【図３】本発明の一実施形態に係る便器装置の標準モードでの動作の流れを説明するフローチャートである。
【図４】本発明の一実施形態に係る便器装置の溜水面上に泡が存在している場合での動作の流れを説明するフローチャートである。
【発明を実施するための形態】
【００１５】
以下、本発明の一実施形態について、図面を参照して詳細に説明する。
【００１６】
図１及び図２を用いて、本実施形態に係る便器装置１について説明する。ここで、図１は、本実施形態に係る便器装置１の平面図である。図２は、図１の矢印Ａ−Ａ方向に視た本実施形態に係る便器装置１の縦断面図である。
【００１７】
便器装置１は、便器本体２と、洗浄装置３と、制御部５と、を備える。
【００１８】
便器本体２は、汚物を受ける便鉢６と、この便鉢６の底部から、上昇流路１３Ａ及び下降流路１３Ｂから構成され且つ排水管（図示省略）と連結管１４を介して連結される便器排水路１３に設けられた排水トラップ７と、便鉢６に対して開閉する便座（図示省略）及び便蓋（図示省略）と、を備える。便鉢６の上部には、洗浄水を吐き出すリム吐出口８が形成されていると共に、その周縁に沿って洗浄水の旋回流を生成するリム流水路９が形成されている。便鉢６の底部には、洗浄水を吐き出すジェット吐出口１０が形成されている。排水トラップ７は、便鉢６の底部から排水管（図示省略）までの便器排水路１３を水封することで、便鉢６の底部に溜まる洗浄水の溜水面ＷＬ１の高さを定める。
【００１９】
洗浄装置３は、ユーザによって洗浄スイッチ（図示省略）が操作されることで、後述の制御部５により制御されて動作し、便鉢６を洗浄する。具体的に、洗浄装置３は、リム吐出口８を介して便鉢６に洗浄水を供給するリム洗浄水供給装置として機能すると共に、ジェット吐出口１０を介して便鉢６に洗浄水を供給するジェット洗浄水供給装置として機能する（以下、リム吐水、ジェット吐水ともいう）。標準モードで動作する洗浄装置３は、泡を含まない洗浄水を供給し、泡モードで動作する洗浄装置３は、便鉢６内の溜水面上に泡を存在させる。
【００２０】
ここで、泡モードの例としては、例えば以下のようなものが例示される。
第１に、便鉢６に吐水された泡が溜水に流入する場合が挙げられる。具体的には、泡を含む水を吐水して、便鉢６内を旋回等させながら便鉢６内を洗浄する場合や、泡を含む水を吐水して溜水に泡を溜める場合（この場合には必ずしも便鉢６内を旋回等させる必要はない）が挙げられる。なお、泡を含む水としては、洗浄水に泡を混入する場合と、洗浄水とは別経路で泡を吐水する場合がある。
【００２１】
第２に、溜水中で泡を発生させる場合が挙げられる。例えば、ジェット吐出口１０等を介して溜水中に薬剤等を直接供給し、溜水内で泡を発生させる場合が挙げられる。この場合でも、便鉢６内に泡が存在している状態を形成可能である。
【００２２】
なお、上述の第１の場合には、洗浄装置３は、洗浄水中に薬剤と空気とを供給して混合することにより泡を生成するエゼクタ（図示省略）を備える。これに対して上述の第２の場合には、洗浄装置３はエゼクタを備える必要は無い。薬剤としては、泡を生成できるものであればよく、例えば香料、抗菌剤、除菌剤、防カビ剤等を含む液体やイオン水等が用いられる。
【００２３】
制御部５は、洗浄装置３を制御する。制御部５による洗浄装置３の制御については、後段で詳述する。
【００２４】
なお、便器装置１は、制御部５による各種制御を実行させるための操作部としてのリモートコントローラ（図示省略）を備える。リモートコントローラは、便器装置１が設置されたトイレルームの壁面等に取り付けられる。本実施形態のリモートコントローラは、局部を洗浄するための局部洗浄スイッチ、便器を洗浄するための洗浄スイッチ（大洗浄スイッチ、小洗浄スイッチ）の他、泡モードスイッチ等を備えている。
【００２５】
ここで、泡モードのトリガーとしては、例えば以下のようなものが例示される。
泡を含む水を吐水して便鉢６内を洗浄する場合の泡モードのトリガーとしては、ユーザが入室する、ユーザが泡モードスイッチを押す、便座／便蓋が開く、ユーザが着座する、ユーザが脱座する、便座／便蓋が閉まる、ユーザが退室する、といったものが挙げられる。
【００２６】
また、泡を含む水を吐水して溜水に泡を溜める場合の泡モードのトリガーとしては、ユーザが入室する、ユーザが泡モードスイッチを押す、便座／便蓋が開く、ユーザが着座する、といったものが挙げられる。
【００２７】
さらには、溜水中で泡を発生させる場合の泡モードのトリガーとしては、ユーザが入室する、ユーザが泡モードスイッチを押す、便座／便蓋が開く、ユーザが着座する、といったものが挙げられる。
【００２８】
次に、図３及び図４を用いて、制御部５による便器装置１の動作について詳しく説明する。ここで、図３は、本実施形態に係る便器装置１の標準モードでの動作の流れを説明するフローチャートである。図４は、本実施形態に係る便器装置１の溜水面上に泡が存在している場合（具体的には、上述の泡モードの動作実行後）での動作の流れを説明するフローチャートである。
【００２９】
図３に示すように、制御部５は、泡を含まない洗浄水で洗浄を行う標準モードで制御処理を行う場合、標準モード前リム洗浄工程と、標準モードジェット洗浄工程と、標準モード後リム洗浄工程と、を実行させる。
【００３０】
先ず、ステップＳ１００では、標準モード前リム洗浄工程を実行する。具体的に本ステップでは、リム吐出口８を介して、便鉢６に洗浄水を供給する。その後、ステップＳ１１０に進む。
【００３１】
次いで、ステップＳ１１０では、標準モードジェット洗浄工程を実行する。具体的に本ステップでは、上述の標準モード前リム洗浄工程が開始した後に、ジェット吐出口１０を介して、便鉢６に洗浄水を供給する。その後、ステップＳ１１０に進む。
【００３２】
次いで、ステップＳ１２０では、標準モード後リム洗浄工程を実行する。具体的に本ステップでは、上述の標準モード前リム洗浄工程が終了した後で且つ標準モードジェット洗浄工程が開始した後に、リム吐出口８を介して、便鉢６に洗浄水を供給する。以上により、本処理を終了する。
【００３３】
なお、この標準モードでは、通常、標準モードジェット洗浄工程と標準モード後リム洗浄工程の処理時間は同一に設定され、標準モード前リム洗浄工程の処理時間はそれらの半分に設定される。
【００３４】
また図４に示すように、制御部５は、溜水面上に泡が存在している場合、泡用前ジェット洗浄工程と、泡用前リム洗浄工程と、泡用後ジェット洗浄工程と、泡用後リム洗浄工程と、を実行させる。ただし、泡用後リム洗浄工程の実行は必須ではない。
【００３５】
先ず、ステップＳ２００では、泡用前ジェット洗浄工程を実行する。具体的に本ステップでは、ジェット吐出口１０を介して便器排水路１３又は排水トラップ７に向けて洗浄水を供給する。この泡用前ジェット洗浄工程では、便鉢６の底部から排水管までの便器排水路１３を破封させる程度にジェット吐出口１０から洗浄水を吐水することが好ましい。具体的には、図２中に示される封水ラインＳＷＬよりも下方に、溜水面上の泡の上面が配置されるようになるまで、ジェット吐出口１０を介して洗浄水を供給することが好ましい。これにより、便鉢６内の泡や該泡上の汚物及びトイレットペーパー等の排出が促進される。その後、ステップＳ２１０に進む。
【００３６】
次いで、ステップＳ２１０では、泡用前リム洗浄工程を実行する。具体的に本ステップでは、上述の泡用前ジェット洗浄工程が開始した後に、リム吐出口８を介して、便鉢６に洗浄水を供給する。本ステップでは、標準モード前リム洗浄工程と比較して処理時間が長い。この泡用前リム洗浄工程は、泡用前ジェット洗浄工程が終了する前に行われることが好ましい。
【００３７】
これにより、ジェット吐水の最中にリム吐水することで、便鉢６の壁面に張り付いた泡を上から落としつつ、ジェット吐水で便器排水路１３へ泡を排出することができ、便鉢６の壁面の泡を効率的に流すことができる。ジェット吐水だけが先に行われると便鉢６の壁面に泡が付着して残存し、また、通常リム吐水を先に流すと溜水面が上昇して泡が浮遊するところ、その後ジェット吐水を流したとしても泡が便鉢６内に残存する。これに対して本実施形態では、まずはジェット吐水をすることにより、泡を便器排水路１３へ排出させ、溜水を下げた状態でリム吐水をすることにより、便鉢６の壁面の泡を確実に流すことができるようになっている。その後、ステップＳ２２０に進む。
【００３８】
次いで、ステップＳ２２０では、泡用後ジェット洗浄工程を実行する。具体的に本ステップでは、泡用前ジェット洗浄工程が終了した後で且つ泡用前リム洗浄工程が開始した後に、ジェット吐出口１０を介して、便鉢６に洗浄水を供給する。これにより、便鉢６内に残存していた泡が確実に排出される。その後、ステップＳ２３０に進む。
【００３９】
次いで、ステップＳ２３０では、泡用後リム洗浄工程を実行する。具体的に本ステップでは、泡用前リム洗浄工程が終了した後で且つ泡用後ジェット洗浄工程が開始した後に、リム吐出口８を介して、便鉢６に洗浄水を供給する。以上により、本処理を終了する。
【００４０】
なお、図４の本動作処理における各工程の処理時間は、例えば、泡用前ジェット洗浄工程が１．５〜２．０秒、泡用前リム洗浄工程が４．０秒、泡用後ジェット洗浄工程が２．２秒、泡用後リム洗浄工程が４．０秒に設定されるのが好ましい。また、泡用前リム洗浄工程の処理時間は、上述の標準モード前リム洗浄工程と比較して、処理時間が長く設定され、例えば２倍に設定される。これにより、便鉢６内が十分に洗浄されると共に、泡用前ジェット洗浄工程によって破封した便器排水路１３が速やかに覆水されて封水が確保されるようになっている。
【００４１】
次に、便器装置１の泡モードでの動作についてさらに詳しく説明する。
【００４２】
ユーザによって洗浄スイッチ（泡モードスイッチにより泡モードが選択されている場合）が操作された後、制御部５は、洗浄装置３を制御して、ジェット吐出口１０を介して便鉢６に洗浄水を供給する泡用前ジェット洗浄工程を実行する。泡用前ジェット洗浄工程が行われることで便鉢６内の溜水面ＷＬ１が乱れる結果、溜水面ＷＬ１を覆う泡や泡の上に乗ったトイレットペーパーが濡れた状態となり、排出が促進される。便鉢６の底部から排水管までの便器排水路１３の水封を維持するように泡用前ジェット洗浄工程を実行する場合、排水管からの臭気戻りは発生しない。便鉢６の底部から排水管までの便器排水路１３を破封させるように泡用前ジェット洗浄工程を実行する場合、溜水面ＷＬ１を覆う泡は便鉢６から確実に排出される。
【００４３】
泡用前ジェット洗浄工程が開始した後、制御部５は、洗浄装置３を制御して、リム吐出口８を介して便鉢６に洗浄水を供給する泡用前リム洗浄工程を実行させる。泡用前リム洗浄工程が実行されることで便鉢６内の溜水面ＷＬ１が元の高さに上昇するため、次の泡用後ジェット洗浄工程の実施が可能になる。泡用前ジェット洗浄工程が終了する前に、泡用前リム洗浄工程を実行させる場合、便鉢６の壁面に付着する泡を確実に落とすことができる。また、この場合、便鉢６の底部から排水管（図示省略）までの便器排水路１３が破封していても、排水管からの臭気戻りは発生しない。
【００４４】
泡用前リム洗浄工程が開始した後、制御部５は、洗浄装置３を制御して、ジェット吐出口１０を介して便鉢６に洗浄水を供給する泡用後ジェット洗浄工程を実行させる。泡用後ジェット洗浄工程が実行されることで便鉢６内の排泄物やトイレットペーパーが便鉢６から確実に排出される。また、泡用後ジェット洗浄工程が実行されることで便鉢６内の溜水面ＷＬ１が降下する。
【００４５】
泡用後ジェット洗浄工程が開始した後、制御部５は、洗浄装置３を制御して、リム吐出口８を介して便鉢６に洗浄水を供給する泡用後リム洗浄工程を実行させる。泡用後リム洗浄工程が実行されることで便鉢６内の溜水面ＷＬ１が泡で被覆される。なお、泡モードで動作した場合、標準モードで動作した場合と比較して、溜水面ＷＬ１が低くなるように洗浄水が供給される。これにより、次回洗浄時において溜水面ＷＬ１が低いことで泡やトイレットペーパーの排出が促進される。
【００４６】
以上の便器装置１は、上部にリム吐出口８を有すると共に底部にジェット吐出口１０を有する便鉢６と、リム吐出口８を介して便鉢６に洗浄水を供給すると共に、ジェット吐出口１０を介して便鉢６に洗浄水を供給する洗浄装置３と、便鉢６の底部から排水管（図示省略）までの便器排水路１３に設けられ、便器排水路１３を水封して便鉢６の底部に溜まる洗浄水の溜水面ＷＬ１の高さを定める排水トラップ７と、洗浄装置３の制御を行う制御部５と、を備える。
【００４７】
以上詳述した本実施形態に係る便器装置１によれば、以下の効果が奏される。
即ち、本実施形態に係る便器装置１は、制御部５が、溜水面上に泡が存在している場合に、ジェット吐出口１０を介して便鉢６に洗浄水を供給する泡用前ジェット洗浄工程と、泡用前ジェット洗浄工程が開始した後に、リム吐出口８を介して便鉢６に洗浄水を供給する泡用前リム洗浄工程と、泡用前ジェット洗浄工程が終了した後で且つ泡用前リム洗浄工程が開始した後に、ジェット吐出口１０を介して便鉢６に洗浄水を供給する泡用後ジェット洗浄工程と、泡用前リム洗浄工程が終了した後で且つ泡用後ジェット洗浄工程が開始した後に、リム吐出口８を介して便鉢６に洗浄水を供給する泡用後リム洗浄工程と、を実行させる。
これにより、便鉢６に泡を供給した場合であっても、泡を容易且つ確実に排出することができ、ひいては泡上の汚物やトイレットペーパー等を容易且つ確実に排出することができる。
【００４８】
また、制御部５は、溜水面上に泡が存在している場合に、泡用前ジェット洗浄工程を実行させることで、便鉢６の底部から排水管までの便器排水路を破封させることにより、溜水面ＷＬ１を覆う泡を便鉢６からより容易且つ確実に排出することができる。
【００４９】
また、制御部５は、溜水面上に泡が存在している場合に、泡用前ジェット洗浄工程が終了する前に、泡用前リム洗浄工程を実行させることにより、便鉢６の壁面に付着する泡を確実に落とすことができ、溜水面ＷＬ１を覆う泡を便鉢６からより容易且つ確実に排出することができる。また、便鉢６の底部から排水管までの便器排水路１３が破封していても、排水管からの臭気戻りは発生しない。即ち、臭気戻りを防止することができる。
【００５０】
また、制御部５は、泡を含まない洗浄水で洗浄を行う標準モードで制御を行う場合、リム吐出口８を介して便鉢６に洗浄水を供給する標準モード前リム洗浄工程と、標準モード前リム洗浄工程が開始した後に、ジェット吐出口１０を介して便鉢６に洗浄水を供給する標準モードジェット洗浄工程と、標準モード前リム洗浄工程が終了した後で且つ標準モードジェット洗浄工程が開始した後に、リム吐出口８を介して便鉢６に洗浄水を供給する標準モード後リム洗浄工程と、を実行させ、泡用前リム洗浄工程は、標準モード前リム洗浄工程と比較して処理時間を長く設定する。
これにより、便鉢６内の溜水面ＷＬ１が元の高さに確実に戻るため、次の泡用後ジェット洗浄工程を確実に実行させることができる。
【００５１】
以上、本発明の便器装置１の好ましい実施形態について説明したが、本発明は、上述した実施形態に制限されるものではなく、適宜変更が可能である。
【００５２】
上記実施形態では、溜水面上に泡が存在している場合、泡用前ジェット洗浄工程と、泡用前リム洗浄工程と、泡用後ジェット洗浄工程と、泡用後リム洗浄工程と、を順次実行させる構成としたが、例えば、泡用前ジェット洗浄工程の前にさらにリム洗浄工程を実行してもよい。即ち、泡用前リム洗浄工程と、泡用前ジェット洗浄工程と、泡用中リム洗浄工程と、泡用後ジェット洗浄工程と、泡用後リム洗浄工程と、を順次実行させてもよい。この場合、泡用前リム洗浄は、泡用前ジェット洗浄の最中も継続して流してもよい。
【符号の説明】
【００５３】
１  便器装置
２  便器本体
３  洗浄装置（リム洗浄水供給装置、ジェット洗浄水供給装置）
５  制御部
６  便鉢
７  排水トラップ
８  リム吐出口
９  リム流水路
１０  ジェット吐出口
１３  便器排水路
ＷＬ１  溜水面
ＳＷＬ  封水ライン
【図１】
2020002623.tif 000003
【図２】
2020002623.tif 000004
【図３】
2020002623.tif 000005
【図４】
2020002623.tif 000006